(57)【要約】【課題】  戸への取付けが容易で且つコンパクトに収まる閂錠の付いた引き違い戸の提供。【解決手段】  内障子１と外障子２と閂錠３とを備え、閂錠は、錠棹受け４と錠棹５と軸部材６とを有し、錠棹受け４は、内障子の召し合せ框７に取付けてあり且つ内障子の召し合せ框の外周側面３２よりも外周側に突出する位置に錠棹の受け孔８を有し、錠棹５は、内外方向に延びる長孔状の軸挿通孔９を有すると共に受け孔に係止したときに外障子の召し合せ框の外側面３６から突出する長さを有し、且つ外障子の召し合せ框１０の内周側に配置したものであり、軸部材６は、錠棹の軸挿通孔９を挿通して錠棹５を回動自在に且つ受け孔８に対して進退自在に外障子の召し合せ框１０に取付けるものであり、錠棹５が受け孔８から退避して回動したときに外障子の召し合せ框１０の長手方向に略沿うものであることを特徴とする。【選択図】      図１
2005282065.tif 000002
【特許請求の範囲】
【請求項１】
内障子と外障子と閂錠とを備え、閂錠は、錠棹受けと錠棹と軸部材とを有し、錠棹受けは、内障子の召し合せ框に取付けてあり且つ内障子の召し合せ框の外周側面よりも外周側に突出する位置に錠棹の受け孔を有し、錠棹は、内外方向に延びる長孔状の軸挿通孔を有すると共に受け孔に係止したときに外障子の召し合せ框の外側面から突出する長さを有し、且つ外障子の召し合せ框の内周側に配置したものであり、軸部材は、錠棹の軸挿通孔を挿通して錠棹を回動自在に且つ受け孔に対して進退自在に外障子の召し合せ框に取付けるものであり、錠棹が受け孔から退避して回動したときに外障子の召し合せ框の長手方向に略沿うものであることを特徴とする引き違い戸。
【請求項２】
内障子と外障子と閂錠とを備え、閂錠は、錠棹受けと錠棹と軸部材とを有し、錠棹受けは、内障子の召し合せ框に取付けてあり且つ内障子の召し合せ框の外周側面よりも外周側に突出する位置に錠棹の受け孔を有し、錠棹は、内外方向に延びる長孔とこれの上部または下部に連続する係止孔とからなる軸挿通孔を有すると共に受け孔に係止したときに外障子の召し合せ框の外側面から突出する長さを有し、且つ外障子の召し合せ框の内周側に配置したものであり、軸部材は、錠棹の軸挿通孔を挿通して錠棹を回動自在に且つ受け孔に対して進退自在に外障子の召し合せ框に取付けるものであり、錠棹が受け孔から退避して回動したときに外障子の召し合せ框の長手方向に略沿うものであり、且つ錠棹が受け孔に係止したときに係止孔に軸部材が係合することを特徴とする引き違い戸。
【請求項３】
錠棹の軸挿通孔は、内外方向に延びる長孔とこれに交差して連続する上下の係止孔とで略Ｔ字状になっていることを特徴とする請求項２記載の引き違い戸。
【請求項４】
内障子と外障子と閂錠とを備え、閂錠は、錠棹受けと錠棹ガイドと錠棹と軸部材とを有し、錠棹受けは、内障子の召し合せ框に取付けてあり且つ内障子の召し合せ框の外周側面よりも外周側に突出する位置に錠棹の受け孔を有し、錠棹は、内外方向に延びる長孔状の軸挿通孔を有すると共に受け孔に係止したときに外障子の召し合せ框の外側面から突出する長さを有し、且つ外障子の召し合せ框の内周側に配置したものであり、錠棹ガイドは、軸部材よりも内側において外障子の召し合せ框に取付けるものであって外障子の召し合せ框の内周側面より内周側に突出する位置に錠棹のガイド孔を有し、軸部材は、錠棹の軸挿通孔を挿通して錠棹を回動自在に且つ受け孔及びガイド孔に対して進退自在に外障子の召し合せ框に取付けるものであり、錠棹が受け孔及びガイド孔から退避して回動したときに外障子の召し合せ框の長手方向に略沿うものであることを特徴とする引き違い戸。
【発明の詳細な説明】
【技術分野】
【０００１】
本発明は、閂錠を備えた引き違い戸に関するものである。
【背景技術】
【０００２】
引き違い戸のための錠は、外障子と内障子の召し合せ框に埋め込んで設置され、室外側からは鍵孔に鍵を挿入して操作し、室内側からは操作レバーを操作することにより、框内に内蔵した係合部材を動作させて施錠・解錠操作するものが一般的である。しかしそのような錠は、障子の召し合せ框に錠の部品が収まる穴を加工しなければならず、部品の取付けにも時間が掛かる。また構造が複雑で壊れやすく、施解錠操作がしづらくなることもしばしばである。
【０００３】
特許文献１には、主に開き扉に用いられる閂式の錠を引き違い戸に応用した簡易な錠が開示されている。この錠は、外障子の召し合せ框の外周側面に、帯板状の錠棹（嵌合体２１）を一本の軸体で取付けてあり、錠棹は、軸体の挿通孔がその長手方向に長孔状に形成してあって、室内外方向に進退し、且つ軸体を支点として回動するものとなっており、また内障子には錠棹の受け孔（嵌合凹所１４）を形成してあり、錠棹を奥側に押し込んで先端を受け孔に差し込むことで引戸が移動不能となり、戸を開ける際には錠棹を手前側に引き、召し合せ框の長手方向に沿うように回動させる。錠棹の裏側には、固定体を前側に突出して設けてあり、錠棹を受け孔に差し込んだ状態で錠棹の末端部と固定体に錠前を掛けて、錠棹が動かないように施錠している。
【特許文献１】特開平２−３８６７７号公報
【発明の開示】
【発明が解決しようとする課題】
【０００４】
上述の錠にあっては、錠棹や軸体の障子への取付けは比較的容易に行えるが、内障子の框に錠棹の受け孔を形成しなければならないため、煩雑である。また、錠棹や軸体を外障子の召し合せ框の外周側に突出して取付けているため、外部から見るとそれらが目立って体裁が悪いばかりか、外障子を開放したときにそれらが周囲の縦枠と衝突し、外障子の移動範囲が狭められると共に、錠が破損するおそれもある。また、錠棹を内障子の受け孔に挿入しただけでは、振動などによって錠棹が受け孔から自然に抜けるおそれがあり、いちいち錠棹を錠前で固定板に固定しなければならず、施解錠操作が煩雑であった。さらに、施錠した状態で無理やり障子を開けようとした場合に、錠棹ががたついたり曲がったりするおそれがあり、強度的に弱い面があった。
本発明は以上に述べたような実情に鑑み、戸への取付けが容易で且つコンパクトに収まる閂錠の付いた引き違い戸の提供を目的とし、さらに請求項２記載の発明では、その閂錠を優れた操作性と確実性を兼ね備えたものにすること、請求項４記載の発明では、その閂錠の強度向上を目的とする。
【課題を解決するための手段】
【０００５】
上記の課題を達成するために請求項１記載の発明による引き違い戸は、内障子と外障子と閂錠とを備え、閂錠は、錠棹受けと錠棹と軸部材とを有し、錠棹受けは、内障子の召し合せ框に取付けてあり且つ内障子の召し合せ框の外周側面よりも外周側に突出する位置に錠棹の受け孔を有し、錠棹は、内外方向に延びる長孔状の軸挿通孔を有すると共に受け孔に係止したときに外障子の召し合せ框の外側面から突出する長さを有し、且つ外障子の召し合せ框の内周側に配置したものであり、軸部材は、錠棹の軸挿通孔を挿通して錠棹を回動自在に且つ受け孔に対して進退自在に外障子の召し合せ框に取付けるものであり、錠棹が受け孔から退避して回動したときに外障子の召し合せ框の長手方向に略沿うものであることを特徴とする。ここで、「内外方向」は室内外方向を意味し、「内側・外側」は、錠操作を行う方の側を便宜上「外側」と定義しただけで、本発明の引き違い戸の設置場所や設置の態様を何ら限定するものではない。
【０００６】
請求項２記載の発明による引き違い戸は、内障子と外障子と閂錠とを備え、閂錠は、錠棹受けと錠棹と軸部材とを有し、錠棹受けは、内障子の召し合せ框に取付けてあり且つ内障子の召し合せ框の外周側面よりも外周側に突出する位置に錠棹の受け孔を有し、錠棹は、内外方向に延びる長孔とこれの上部または下部に連続する係止孔とからなる軸挿通孔を有すると共に受け孔に係止したときに外障子の召し合せ框の外側面から突出する長さを有し、且つ外障子の召し合せ框の内周側に配置したものであり、軸部材は、錠棹の軸挿通孔を挿通して錠棹を回動自在に且つ受け孔に対して進退自在に外障子の召し合せ框に取付けるものであり、錠棹が受け孔から退避して回動したときに外障子の召し合せ框の長手方向に略沿うものであり、且つ錠棹が受け孔に係止したときに係止孔に軸部材が係合することを特徴とする。
【０００７】
請求項３記載の発明による引き違い戸は、錠棹の軸挿通孔は、内外方向に延びる長孔とこれに交差して連続する上下の係止孔とで略Ｔ字状になっていることを特徴とする。
【０００８】
請求項４記載の発明による引き違い戸は、内障子と外障子と閂錠とを備え、閂錠は、錠棹受けと錠棹ガイドと錠棹と軸部材とを有し、錠棹受けは、内障子の召し合せ框に取付けてあり且つ内障子の召し合せ框の外周側面よりも外周側に突出する位置に錠棹の受け孔を有し、錠棹は、内外方向に延びる長孔状の軸挿通孔を有すると共に受け孔に係止したときに外障子の召し合せ框の外側面から突出する長さを有し、且つ外障子の召し合せ框の内周側に配置したものであり、錠棹ガイドは、軸部材よりも内側において外障子の召し合せ框に取付けるものであって外障子の召し合せ框の内周側面より内周側に突出する位置に錠棹のガイド孔を有し、軸部材は、錠棹の軸挿通孔を挿通して錠棹を回動自在に且つ受け孔及びガイド孔に対して進退自在に外障子の召し合せ框に取付けるものであり、錠棹が受け孔及びガイド孔から退避して回動したときに外障子の召し合せ框の長手方向に略沿うものであることを特徴とする。
【発明の効果】
【０００９】
請求項１記載の発明による引き違い戸は、錠棹を外障子の召し合せ框の内周側に配置し、内障子の召し合せ框に取付けた錠棹受けの、内障子の外周側面より外周側に突出する位置に錠棹の受け孔を設けたものであるので、内障子の框に錠棹の受け孔を形成する必要がなく、閂錠の取付けを容易に行うことができると共に、錠棹が外障子の召し合せ框の内周側に隠れて目立たないので体裁が良く、錠棹が周囲の縦枠と衝突することもない。
【００１０】
請求項２記載の発明による引き違い戸は、上述の効果に加えて、錠棹を錠棹受けの受け孔に係止したときに錠棹の係止孔に軸部材が係合することで、錠棹が受け孔から抜けないようにロックされるので、簡単な操作でより確実な施錠が行える。
【００１１】
請求項３記載の発明は、錠棹の軸挿通孔を、内外方向に延びる長孔とこれに交差して連続する上下の係止孔とで略Ｔ字状にしたので、錠棹を外障子と内障子の左右勝手違いに対応できるものとすることができる。
【００１２】
また、請求項４記載の発明による引き違い戸は、軸部材よりも内側において外障子の召し合せ框に錠棹ガイドを設け、錠棹を錠棹ガイドのガイド孔に挿入した上で受け孔に係止することで、施錠時の錠棹のがたつきや曲がりを効果的に防止でき、閂錠の強度と安全性が向上する。
【発明を実施するための最良の形態】
【００１３】
以下、本発明の実施の形態を図面に基づいて説明する。図６は、本発明の引き違い戸を前面扉に採用したゴミ集積庫を示す正面図であり、図５はその引き違い戸の横断面図、図１は引き違い戸の縦断面図、図２はこの引き違い戸に設けられる閂錠の横断面図、図３はその閂錠の分解斜視図である。このゴミ集積庫は、四箇所の隅角部に柱１５を立設してあり、柱の上端部を梁１６で連結して骨組を構成し、その上面側に屋根１７を取付け、左右の側面側と後面側には金属線材からなるメッシュパネル１８を取付けてあり、前面側には内障子１と外障子２の二枚の障子を備える引き違い戸を取付けてある。引き違い戸は、図５に示すように、閉鎖したときに内障子１が右側に、外障子２が左側に位置するようになっており、内障子と外障子の召し合せ框７，１０に跨って閂錠３を設けてある。
【００１４】
前側の左右の柱１５の上端部間には上レール１９が取付けられ、左右の柱１５の下端部間には下レール２０が取付けてあり、柱１５の前側面には戸当り材２１が取付けてある。外障子２は、図５と図６に示すように、戸当り框２２と外召し合せ框１０の間に上桟２３と下桟２４を架設し、上桟２３の上方にメッシュパネル２５を金具２６で取付け、上桟２３と下桟２４の間に樹脂パネル２７を取付けてある。戸当り框２２と外召し合せ框１０の上端には戸車２８を、下端にはガイド部材２９をそれぞれ突出して設けてあり、外障子２は、図１に示すように、戸車２８を上レール１９に引っ掛けて吊下げられ、ガイド部材２９を下レール２０に形成した案内溝に挿入してあって、軽い力で左右に移動させることができる。内障子１も、外障子２と同じように構成され、上下レール１９，２０間に移動自在に設置してある。
【００１５】
閂錠３は、図１〜図３に示すように、内障子１の内召し合せ框７に取付ける錠棹受け４と、外障子２の外召し合せ框１０に取付ける錠棹５、軸部材６、錠棹補助材３０とで構成されている。錠棹受け４は、縦長の長方形の板状の部材で、図２に示すように、内召し合せ框７の室外側面に、左側の側部を内召し合せ框７の外周側に食み出させた状態で皿ビス３１で取付けてあり、内召し合せ框７の外周側面３２より外周側に突出する位置に、錠棹５の受け孔８を上下の長孔状に形成してある。
【００１６】
錠棹５は、図１に示すように、先端部を錠棹受け４の受け孔８に挿入・係止させて障子１，２を閉鎖状態にロックするもので、図２に示すように、外障子２の外召し合せ框１０の内周側面３３に当接して配置され、軸部材６により外召し合せ框１０に取付けてある。錠棹５は、軸部材６が挿通される軸挿通孔９が、図３に示すように、室内外方向の長孔１１と、その室外側の端部から長孔に交差して連続する上下の係止孔１２とで略Ｔ字状に形成してあり、受け孔８に差し込む室内側の端部は上下の角部がアール状に大きく面取りしてあり、室外側の端部は１５ｍｍ程度障子の内周側に折り曲げてあり、その折り曲げ部３４の付け根部分に、錠棹５を南京錠等で固定するときのための孔３５を形成してある。錠棹５は、受け孔８に係止したときには、折り曲げ部３４と孔３５が外召し合せ框１０の室外側面３６から突出する。図中の符号３７は、軸挿通孔を隠すために取付けたカバーである。
【００１７】
錠棹補助材３０は、図２に示すように、外障子２の外召し合せ框１０を外周側から囲むように略コ字状に形成され、皿ビス３８で同框に固定してある。錠棹補助材３０の、外召し合せ框１０の室内側面に当接する方の端部は、同框の内周側面３３より内周側に突出させて錠棹ガイド１３としてあり、錠棹ガイド１３には錠棹５のガイド孔１４を設けてある。錠棹補助材３０の、外召し合せ框１０の室外側面３６に当接する方の端部は、室外側に向けて折り曲げて錠棹固定部３９を設けてあり、錠棹固定部３９には前記錠棹５の孔３５に対応して孔４０を設けてある。錠棹補助材３０は、上下寸法が錠棹受け４と同一であり、取付ける高さ位置も錠棹受け４と同じ高さ位置であり、ガイド孔１４の位置及び大きさは錠棹受け４の受け孔８と一致させてある。
【００１８】
軸部材６は、錠棹５と外召し合せ框１０と錠棹補助材３０とを貫通する丸パイプ４１、丸パイプ内に挿通するボルト４２と、ナット４３、座金４４とで構成してあり、錠棹５を外召し合せ框１０の内周側面３３に当接したままで進退自在且つ回動自在に支持している。軸部材６を設ける高さ位置は、錠棹受け４と錠棹補助材３０の上下寸法のちょうど真ん中の位置となっている。
【００１９】
次に本閂錠３の施錠する際の手順を図４に即して説明する。解錠状態で錠棹５は、図４（ａ）に示すように、折り曲げ部３４を下にして外召し合せ框１０の長手方向に沿う縦長の姿勢となっており、施錠する際には錠棹５の折り曲げ部３４側を手で持ち、図４（ｂ）に示すように錠棹５を横向きの姿勢に回転させると共に、図４（ｃ）に示すように、錠棹５を室内側に最大限に移動させて先端部を錠棹ガイド１３のガイド孔１４と錠棹受け４の受け孔８に差し込む。その上で錠棹５から手を離すと錠棹５が下方に移動し、図４（ｄ）に示すように、錠棹５の先端部がガイド孔１４と受け孔８に係止すると共に、係止孔１２の上側に軸部材６が係合し、外障子２と内障子１が動かないようにロックされる。
【００２０】
このように錠棹５の係止孔１２に軸部材６が係合していることで、錠棹５の移動が規制され、係止孔１２の位置が錠棹５の重心位置より室外側にあって錠棹５が自然に回動することもないから、強い振動等を受けたとしても、錠棹５が受け孔８及びガイド孔１４から自然に抜けることはない。第三者が自由に解錠できないようにする場合には、錠棹５の孔３５と錠棹固定部３９の孔４０に南京錠やクサリ錠等の解錠防止具４５を跨らせて係合することにより、錠棹５を固定すればよい。また本閂錠３は、錠棹５が錠棹受け４と軸部材６の間でガイド孔１４に挿通し保持されていることから、錠棹５の曲げに対する強度が向上すると共に、軸部材６による支持部を支点とする錠棹５のがたつきを防止でき、障子１，２を無理やり開けようとすることに対して優れた耐久性を有する。
【００２１】
また本実施形態の引き違い戸は、外障子２の外召し合せ框１０と内障子１の内召し合せ框７とは断面形状が同一となっているので、図７（ａ）（ｂ）に示すように、これらを互いに入れ替えることにより、外障子２と内障子１の左右勝手をいずれにもできるようになっている。また閂錠３を構成する錠棹受け４、錠棹５、錠棹補助材３０は上下対称形に形成してあるので、共通の部品を上下逆にして使用することにより、そのような左右勝手違いに対応できるものとなっている。
【００２２】
本発明は、以上に述べた実施形態に限定されない。錠棹は、外障子の召し合せ框の内周側に配置してあればよく、同框の内周側面から内周側に離して設けてもよい。錠棹に設ける軸挿通孔は、室内外方向の長孔の室外側端部から上方にのみ係止孔が交差して延びるＬ字形のものであってもよいし、長孔から係止孔が室外側の上方に向けて斜めに延びる形状であってもよい。軸部材は、外障子の召し合せ框の内周側面に固定し、同框を貫通しない状態で設けることもできる。また、実施形態のものでは、閂錠３を障子１，２のメッシュパネル２５を取付けた範囲に設けてあるが、樹脂パネル２７を取付けた範囲に閂錠３を設けることもでき、その場合には樹脂パネル２７の側端部に錠棹５が貫通する切り欠きを設ける。
【図面の簡単な説明】
【００２３】
【図１】本発明の引き違い戸の縦断面図である。
【図２】本発明に係る閂錠の横断面図である。
【図３】本発明に係る閂錠の分解斜視図である。
【図４（ａ）（ｂ）（ｃ）（ｄ）】本発明に係る閂錠の操作手順を示す図である。
【図５】本発明の引き違い戸の横断面図である。
【図６】本発明の引き違い戸を備えたゴミ集積庫の正面図である。
【図７（ａ）（ｂ）】本発明の引き違い戸の横断面図であって、障子の左右勝手を逆にする場合の構成例を示している。
【符号の説明】
【００２４】
１  内障子
２  外障子
３  閂錠
４  錠棹受け
５  錠棹
６  軸部材
７  内召し合せ框（内障子の召し合せ框）
８  受け孔
９  軸挿通孔
１０  外召し合せ框（外障子の召し合せ框）
１１  長孔
１２  係止孔
１３  錠棹ガイド
１４  ガイド孔
【図１】
2005282065.tif 000003
【図２】
2005282065.tif 000004
【図３】
2005282065.tif 000005
【図４（ａ）（ｂ）（ｃ）（ｄ）】
2005282065.tif 000006
【図５】
2005282065.tif 000007
【図６】
2005282065.tif 000008
【図７（ａ）（ｂ）】
2005282065.tif 000009
【手続補正書】
【提出日】平成16年4月6日(2004.4.6)
【手続補正１】
【補正対象書類名】図面
【補正対象項目名】図１
【補正方法】変更
【補正の内容】
【図１】
2005282065.tif 000010
【手続補正２】
【補正対象書類名】図面
【補正対象項目名】図２
【補正方法】変更
【補正の内容】
【図２】
2005282065.tif 000011